(57)【要約】【課題】簡単に製造することができて、部品交換も容易に行え、しかも軽量化を図ることのできるパイプ吊下装置を提供する。【解決手段】溝内に設置された土留めパネルまたは矢板間に配置される横軸部１０と、当該横軸部１０に支持されて、前記溝内に敷設すべきパイプを吊下する縦軸部２０と、この縦軸部２０の下端に設けたパイプ取付部３０と、を備えたパイプ吊下装置１００において、横軸部１０を構成しているベースパイプ１１が挿通される横挿通部４１と、この横挿通部４１に直交して、縦軸部２０を上下位置調整可能に支持する縦挿通部４２と、ベースパイプ１１と平行に支持される横ネジ１２が挿通される横ネジ挿通部４３とを一体化したガイドフレーム４０によって、横軸部１０と縦軸部２０との連結を行うようにしたパイプ吊下装置１００。【選択図】図１
2011080558.tif 000002
【特許請求の範囲】
【請求項１】
溝内に設置された土留めパネルまたは矢板間に配置される横軸部（１０）と、当該横軸部（１０）に支持されて、前記溝内に敷設すべきパイプを吊下する縦軸部（２０）と、この縦軸部（２０）の下端に設けたパイプ取付部（３０）と、を備えたパイプ吊下装置（１００）において、
前記横軸部（１０）を構成しているベースパイプ（１１）が挿通される横挿通部（４１）と、この横挿通部（４１）に直交して、前記縦軸部（２０）を上下位置調整可能に支持する縦挿通部（４２）と、前記ベースパイプ（１１）と平行に支持される横ネジ（１２）が挿通される横ネジ挿通部（４３）とを一体化したガイドフレーム（４０）によって、前記横軸部（１０）と縦軸部（２０）との連結を行うようにしたことを特徴とするパイプ吊下装置（１００）。
【請求項２】
前記ガイドフレーム（４０）を、比重が１．７〜４．０の金属または金属合金によって形成したことを特徴とする請求項１に記載のパイプ吊下装置（１００）。
【請求項３】
溝内に設置された土留めパネルまたは矢板間に配置される横軸部（１０）と、当該横軸部（１０）に支持されて、前記溝内に敷設すべきパイプを吊下する縦軸部（２０）と、この縦軸部（２０）の下端に設けたパイプ取付部（３０）と、を備えたパイプ吊下装置（１００）において、
前記横軸部（１０）を構成しているベースパイプ（１１）が挿通される挿通部（５１）と、
前記ベースパイプ（１１）と平行に配置される横ネジ（１２）の両端部を固定するネジ固定部（５２）とを一体化した左右一対のブラケット（５０）によって、前記ベースパイプ（１１）と前記横ネジ（１２）との連結を行うようにしたことを特徴とするパイプ吊下装置（１００）。
【請求項４】
前記ブラケット（５０）を、比重が１．７〜４．０の金属または金属合金によって形成したことを特徴とする請求項３に記載のパイプ吊下装置（１００）。
【請求項５】
前記ベースパイプ（１１）の表面に硬質化処理を施したことを特徴とする請求項１〜請求項４のいずれかに記載のパイプ吊下装置（１００）。
【請求項６】
前記横軸部（１０）のベースパイプ（１１）の一端部内に位置調整ネジ（１３）を
抜き差し自在に組み付けるとともに、この位置調整ネジ（１３）の内端が挿入され得る位置調整パイプ（１４）を前記ベースパイプ（１１）の他端部内に抜き差し自在に組み付けて、
前記ベースパイプ（１１）と、前記位置調整ネジ（１３）上の固定ハンドル（６０）との間に、受け材（６１）を配置するようにしたことを特徴とする請求項１〜請求項５のいずれかに記載のパイプ吊下装置（１００）。
【請求項７】
前記位置調整ネジ（１３）と位置調整パイプ（１４）との何れか少なくとも一方の外端に、前記土留めパネルまたは矢板の内面に当接される脚板（１５）の取付部（１５ａ）を挿入して、これらの取付部（１５ａ）を前記位置調整ネジ（１３）及び位置調整パイプ（１４）の外端にて着脱自在としたことを特徴とする請求項６に記載のパイプ吊下装置（１００）。
【発明の詳細な説明】
【技術分野】
【０００１】
本発明は、地中に埋設する下水道管やヒューム管等のパイプを、溝内の所定位置に吊下するためのパイプ吊下装置に関するものである。
【背景技術】
【０００２】
例えば、パイプの一種である下水道管を敷設する工事では、地面を掘削して溝を形成し、この溝内にパイプを敷設するようにしているが、その際には、下水の安定的な流下を促すために、下水道管の勾配を精密に設定しなければならない。そのため、従来では、非特許文献１にも提案されているように、上記溝の両側に設置された土留めパネルまたは矢板間に、パイプ敷設作業を容易にするためのパイプ吊下装置が用いられていた。
【先行技術文献】
【非特許文献】
【０００３】
【非特許文献１】株式会社エヌ・エス・ピー（住所岐阜県中津川市苗木９１６７番地）発行のカタログＶｏｌ．５
【発明の概要】
【発明が解決しようとする課題】
【０００４】
非特許文献１のパイプ吊下装置は、図８に示すように、縦軸部を横軸部のベースパイプと横ネジとに溶接しただけのような状態で表現してあるが、実際上は、非常に多数の部材を使用した溶接やネジ止めを行って、縦軸部の、横軸部のベースパイプと横ネジとに対する連結あるいは取付けを行っている。換言すれば、従来のパイプ吊下装置において、その縦軸部の、横軸部のベースパイプと横ネジとに対する連結あるいは取付けは、非常に多くの部品と手間を要する作業になっているのである。
【０００５】
それだけでなく、縦軸部の、横軸部のベースパイプと横ネジとに対する連結あるいは取付けは、金属製の多くの部材を使用しているから、パイプ吊下装置全体の重量は相当重いものとなっていて、当該パイプ吊下装置を溝内に設置された土留めパネルまたは矢板間に配置する作業自体も重労働になっているのである。当該パイプ吊下装置によって吊下すべきパイプ自体が重いものであるため、縦軸部の、ベースパイプと横ネジとに対する連結あるいは取付けは、剛性の高い金属性の部材によって行わなければならないから、パイプ吊下装置全体の重量は非常に嵩むものとなっているのである。
【０００６】
また、縦軸部の、ベースパイプと横ネジとに対する連結あるいは取付けを、多数の部材を「溶接」して行っていると、ベースパイプだけ、あるいは横ネジだけを交換したい場合に、これに対する他の部材の溶接を外さなければならないから、事実上、この種のパイプ吊下装置における部品交換は不可能になっているのである。この種のパイプ吊下装置は、一本のパイプを水平に設置するために少なくとも２基使用されるものであり、しかも、多数のパイプを使用した下水道工事を行う場合には、多数のパイプの少なくとも２倍の数のパイプ吊下装置を使用しなければならず、さらには繰り返し使用するものであるから、部品交換が事実上不可能であることは、作業性に劣る重量物であることとも合わせて、当該パイプ吊下装置のコストを非常に高くしているだけでなく、不便なものとなっているのである。
【０００７】
そこで、本発明者等は、この種のパイプ吊下装置について、縦軸部の、横軸部のベースパイプと横ネジとに対する連結あるいは取付けを「溶接」によって行う必要がなくて部品交換も容易にでき、作業性を向上させるための軽量化を図るにはどうしたらよいか、について種々検討を重ねてきた結果、本発明を完成したのである。
【０００８】
すなわち、本発明の目的とするところは、簡単に製造することができて、部品交換も容易に行え、しかも軽量化を図ることのできるパイプ吊下装置を提供することにある。
【課題を解決するための手段】
【０００９】
以上の課題を解決するために、まず、請求項１に係る発明の採った手段は、後述する最良形態の説明中で使用する符号を付して説明すると、
「溝内に設置された土留めパネルまたは矢板間に配置される横軸部１０と、当該横軸部１０に支持されて、前記溝内に敷設すべきパイプを吊下する縦軸部２０と、この縦軸部２０の下端に設けたパイプ取付部３０と、を備えたパイプ吊下装置１００において、
横軸部１０を構成しているベースパイプ１１が挿通される横挿通部４１と、この横挿通部４１に直交して、縦軸部２０を上下位置調整可能に支持する縦挿通部４２と、ベースパイプ１１と平行に支持される横ネジ１２が挿通される横ネジ挿通部４３とを一体化したガイドフレーム４０によって、横軸部１０と縦軸部２０との連結を行うようにしたことを特徴とするパイプ吊下装置１００」
である。
【００１０】
つまり、このパイプ吊下装置１００は、図１に示すように、溝内に設置された土留めパネルまたは矢板間に配置される横軸部１０と、当該横軸部１０に支持されて、溝内に敷設すべきパイプを吊下する縦軸部２０と、この縦軸部２０の下端に設けたパイプ取付部３０と、を備えたものである。
【００１１】
横軸部１０は、当該パイプ吊下装置１００の上部に位置するベースパイプ１１と、このベースパイプ１１の下側でこれと平行に支持される横ネジ１２とを少なくとも備えていて、当該横軸部１０にはガイドフレーム４０によって縦軸部２０が連結され、この縦軸部２０の下端にはパイプを吊下するためのパイプ取付部３０が設けてある。
【００１２】
ガイドフレーム４０は、図１〜図３に示すように、ベースパイプ１１が挿通される横挿通部４１と、この横挿通部４１に直交する縦挿通部４２と、横ネジ１２が挿通される横ネジ挿通部４３と、これらの横挿通部４１、縦挿通部４２、及び横ネジ挿通部４３の一体化を行う連結部４４とを備えているものであり、これらの横挿通部４１、縦挿通部４２、横ネジ挿通部４３、及び連結部４４は、例えばアルミダイキャストによって一体的に形成したものである。換言すれば、横挿通部４１と横ネジ挿通部４３とは、連結部４４によって互いに平行に連結され、縦挿通部４２は、連結部４４によって横挿通部４１及び横ネジ挿通部４３に対して直交状態となるように連結されているのであり、これらの関係は連結部４４によって不変となるようになっている。
【００１３】
このようなガイドフレーム４０を形成しておけば、その横挿通部４１に横軸部１０のベースパイプ１１を、また横ネジ挿通部４３に横ネジ１２を挿通し、縦挿通部４２に縦軸部２０を取り付ければ、当該パイプ吊下装置１００は簡単に製造あるいは組み付けができる。なお、横ネジ１２の両端は後述するブラケット５０によって支持され、各ブラケット５０は、その上端に位置する挿通部５１にて横挿通部４１の両端部に取り付けられるものである。
【００１４】
さて、以上のようなパイプ吊下装置１００が、図１に示すように、溝内に設置された土留めパネルまたは矢板間に配置されて固定状態になると、ガイドフレーム４０は、横軸部１０を構成しているベースパイプ１１及び横ネジ１２に対して、横挿通部４１及び横ネジ挿通部４３にて横方向にスライド可能となっているのである。なお、例えば、横ネジ挿通部４３の両側に位置する横ネジ１２上にはそれぞれ固定ハンドル６０が取り付けてある。
【００１５】
ここで、当該ガイドフレーム４０の、図１の左右方向への位置調整を行いたい場合には、パイプ取付部３０にパイプを取り付ける前の状態で、移動させたい側の固定ハンドル６０を緩めて横ネジ挿通部４３の許容移動部分を確保した後、反対側の固定ハンドル６０を締めることにより、移動したい方向への固定ハンドル６０の横ネジ１２上での螺進を行う。このとき、ガイドフレーム４０の横挿通部４１は、横軸部１０側のベースパイプ１１に単に挿通してあるだけであるから、当該ガイドフレーム４０の移動は、ベースパイプ１１と横ネジ１２との平行状態を維持したままなされることになる。ガイドフレーム４０の上述したのとは反対方向への移動時も同様である。
【００１６】
このようにしてガイドフレーム４０が所望方向に移動すれば、このガイドフレーム４０に一体的に形成してある縦挿通部４２も、左右方向へ同量移動することになる。そして、この縦挿通部４２の下端にはパイプ取付部３０によってパイプが取り付けられるのであるから、このパイプの図１に示した左右方向への位置調整がなされることになるのである。なお、パイプの上下方向の位置調整は、縦軸部２０に設けてある固定ハンドル６０の回動操作によって行うことができる。
【００１７】
以上の通り、このガイドフレーム４０を備えたパイプ吊下装置１００は、当該ガイドフレーム４０によって、横軸部１０を構成しているベースパイプ１１及び横ネジ１２、そして縦軸部２０の組付あるいは取付が非常に簡単に行えるのであり、少なくとも、これらの横軸部１０及び縦軸部２０の部品交換を簡単に行うことができるのである。勿論、このガイドフレーム４０は、金属によっても一体成形することができるのであるから、パイプ吊下装置１００の製造自体も容易に行うことができるのである。
【００１８】
従って、この請求項１に係るパイプ吊下装置１００は、簡単に製造することができて、部品交換も容易に行え、しかも軽量化を図ることができる。
【００１９】
上記課題を解決するために、請求項２に係る発明の採った手段は、上記請求項１のそれについて、
「ガイドフレーム４０を、比重が１．７〜４．０の金属または金属合金によって形成したこと」
である。
【００２０】
この請求項２に係るパイプ吊下装置１００では、上述してきたガイドフレーム４０を、比重が１．７〜４．０の金属または金属合金、例えばアルミダイキャストによって形成したことであり、これにより、パイプ吊下装置１００として必要十分な剛性を確保した状態で、例えばこの種のパイプ吊下装置１００を一般的に形成している「鉄」に対して、軽量化が図られているのである。
【００２１】
従って、この請求項２に係るパイプ吊下装置１００は、上記請求項１のそれと同様な機能を発揮する他、軽量化を図ることができて、その設置作業や、保管あるいは運搬を容易に行うことができるものとなっているのである。
【００２２】
以上課題を解決するために、請求項３に係る発明の採った手段は、
「溝内に設置された土留めパネルまたは矢板間に配置される横軸部１０と、当該横軸部１０に支持されて、前記溝内に敷設すべきパイプを吊下する縦軸部２０と、この縦軸部２０の下端に設けたパイプ取付部３０と、を備えたパイプ吊下装置１００において、
横軸部１０を構成しているベースパイプ１１が挿通される挿通部５１と、
ベースパイプ１１と平行に配置される横ネジ１２の両端部を固定するネジ固定部５２とを一体化した左右一対のブラケット５０によって、ベースパイプ１１と横ネジ１２との連結を行うようにしたことを特徴とするパイプ吊下装置１００」
である。
【００２３】
すなわち、この請求項３に係るパイプ吊下装置１００は、ベースパイプ１１と横ネジ１２との連結を、図４及び図５に示すような左右一対のブラケット５０によって行うようにしたものである。これら各ブラケット５０の、まず、横軸部１０のベースパイプ１１に対する取付及び固定は、その上端部である挿通部５１をベースパイプ１１の両端部に挿通するとともに、図１及び図５に示した固定ネジ５３ａを固定部５３に螺着することによってなされるのである。
【００２４】
これらブラケット５０の、ベースパイプ１１の両端部に対する取付時には、各ブラケット５０の下部に形成してあるネジ固定部５２内に、横軸部１０側の横ネジ１２の両端部を挿入または固定しておくものであり、各ブラケット５０のベースパイプ１１に対する固定が完了すれば、横ネジ１２のベースパイプ１１に対する平行な取り付けが自動的に完了するものである。
【００２５】
以上の操作を逆に行えば、当該ブラケット５０は勿論、ベースパイプ１１や横ネジ１２の交換も簡単に行えることになるのである。また、これらのブラケット５０は、例えばアルミダイキャストによって一体的に形成することができるのであり、ネジ固定部５２の中心でみたとき左右対称になっているし、一つの型で左右のブラケット５０を製造できるのであるから、結果的に当該パイプ吊下装置１００の製造を容易にしていることは言うまでもない。
【００２６】
従って、この請求項３に係るパイプ吊下装置１００は、簡単に製造することができて、部品交換も容易に行え、しかも軽量化を図ることができる。
【００２７】
上記課題を解決するために、請求項４に係る発明の採った手段は、上記請求項３のそれについて、
「ブラケット５０を、比重が１．７〜４．０の金属または金属合金によって形成したこと」
である。
【００２８】
この請求項４に係るパイプ吊下装置１００では、上述してきたブラケット５０を、比重が１．７〜４．０の金属または金属合金によって形成したことであり、これにより、パイプ吊下装置１００として必要十分な剛性を確保した状態で、例えばこの種のパイプ吊下装置１００を一般的に形成している「鉄」に対して、軽量化が図られているのである。
【００２９】
従って、この請求項４に係るパイプ吊下装置１００は、上記請求項３のそれと同様な機能を発揮する他、軽量化を図ることができて、その設置作業や、保管あるいは運搬を容易に行うことができるものとなっているのである。
【００３０】
上記課題を解決するために、請求項５に係る発明の採った手段は、上記請求項１〜請求項４のいずれかに記載のパイプ吊下装置１００について、
「ベースパイプ１１の表面に硬質化処理を施したこと」
である。
【００３１】
ベースパイプ１１は、ガイドフレーム４０の横挿通部４１内に挿入されて、このガイドフレーム４０に対する左右方向への移動がなされるのであり、また、その両端部にブラケット５０が挿入されて取り付けられるのであるから、これらの操作あるいは移動の際に、その表面とガイドフレーム４０またはブラケット５０との間に「砂」や「土」を噛み込むことがあり得る。当該パイプ吊下装置１００が使用されるのは、前述したような下水工事現場であるから、当然、このような砂等の噛み込みは発生し易い。
【００３２】
ベースパイプ１１の表面と、ガイドフレーム４０またはブラケット５０との間に「砂」や「土」を噛み込むと、次の使用時には、これらの砂等によってベースパイプ１１の表面が損傷され、この損傷部分から当該ベースパイプ１１に錆が発生することになる。このベースパイプ１１は、後述する位置調整ネジ１３や位置調整パイプ１４を内蔵する部分であり、しかも、この上にてガイドフレーム４０を移動させるものであって、屋外で使用するパイプ吊下装置１００にとって重要部品でもあるから、錆が発生すればパイプ吊下装置１００の寿命を短くする。
【００３３】
しかしながら、この請求項５のパイプ吊下装置１００では、そのベースパイプ１１の表面に硬質化処理を施してあるから、仮にすなや土を噛み込んだとしても表面に傷が付くことは少なくなり、上記錆の発生を抑制できて寿命を長くすることができるだけでなく、当該ベースパイプ１１上でのガイドフレーム４０の移動をスムーズに行うこともできるのである。
【００３４】
従って、この請求項５のパイプ吊下装置１００は、上記請求項１〜４のそれと同様な機能を発揮する他、ベースパイプ１１の寿命を長くすることができて、しかもベースパイプ１１上でのガイドフレーム４０の移動をスムーズに行うことができるものとなるのである。
【００３５】
上記課題を解決するために、請求項６に係る発明の採った手段は、上記請求項１〜請求項５のいずれかに記載のパイプ吊下装置１００について、
「横軸部１０のベースパイプ１１の一端部内に位置調整ネジ１３を抜き差し自在に組み付けるとともに、この位置調整ネジ１３の内端が挿入され得る位置調整パイプ１４をベースパイプ１１の他端部内に抜き差し自在に組み付けて、
ベースパイプ１１と、位置調整ネジ１３上の固定ハンドル６０との間に、受け材６１を配置するようにしたこと」
である。
【００３６】
この請求項６のパイプ吊下装置１００では、まず、その横軸部１０について、その上述したベースパイプ１１の一端部内に位置調整ネジ１３を抜き差し自在に組み付けるとともに、この位置調整ネジ１３の内端が挿入され得る位置調整パイプ１４をベースパイプ１１の他端部内に抜き差し自在に組み付けるようにしたものである。そして、このパイプ吊下装置１００では、図１及び図６に示すように、ベースパイプ１１と、位置調整ネジ１３上の固定ハンドル６０との間に、受け材６１を配置するようにしたものである。
【００３７】
本発明に係るパイプ吊下装置１００を、図１にも示すように、溝内に設置された土留めパネルまたは矢板間に配置するには、ベースパイプ１１の一端部内に挿入してあった位置調整ネジ１３を抜き出すとともに、この位置調整ネジ１３の内端が挿入されていた位置調整パイプ１４をベースパイプ１１の他端部内から抜き出して、各先端の脚板１５が土留めパネルまたは矢板の内面に当接するようにする。
【００３８】
このとき、例えば位置調整パイプ１４については、その抜き出しが完了した時点で、ベースパイプ１１に形成してあるピン穴（図示せず）と、位置調整パイプ１４に形成してあるピン穴１４ａとの間に図示しないピンを差し込んで、ベースパイプ１１に対する固定を行う。一方、位置調整ネジ１３については、図６にも示すように、当該位置調整ネジ１３に固定ハンドル６０が螺着してあってその図示左側面がベースパイプ１１の右端面に当接しているから、この固定ハンドル６０を例えば右回転させることによって、位置調整ネジ１３をベースパイプ１１から強制的に抜き出す。これにより、横軸部１０は、土留めパネルまたは矢板間で両手を突っ張ったような状態となるのである。
【００３９】
ところで、この請求項６のパイプ吊下装置１００では、横軸部１０を土留めパネルまたは矢板間で突っ張らせるため、固定ハンドル６０を回動する際には、当該固定ハンドル６０とベースパイプ１１との間に受け材６１が配置してあるから、これがない場合に比べて小さい摩擦力しか存在しない。つまり、受け材６１の存在によって、横軸部１０を突っ張らせるための固定ハンドル６０の回動を比較的小さな力で行えるのであり、作業性が向上しているのである。
【００４０】
この受け材６１としては、所謂オイルレスベアリング、スラストベアリング、その他のハンドル６０の回転を円滑にする部材が採用される。
【００４１】
従って、この請求項６のパイプ吊下装置１００は、上記請求項１〜５のそれと同様な機能を発揮する他、横軸部１０の突っ張り作業が容易に、あるいは軽く行えるものとなっているのである。
【００４２】
上記課題を解決するために、請求項７に係る発明の採った手段は、上記請求項６に記載のパイプ吊下装置１００について、
「位置調整ネジ１３と位置調整パイプ１４との何れか少なくとも一方の外端に、前記土留めパネルまたは矢板の内面に当接される脚板１５の取付部１５ａを挿入して、これらの取付部１５ａを位置調整ネジ１３及び位置調整パイプ１４の外端にて着脱自在としたこと」
である。
【００４３】
この請求項７のパイプ吊下装置１００では、位置調整ネジ１３と位置調整パイプ１４との外端に、脚板１５を、その取付部１５ａにて着脱自在に取り付けたものであるから、各脚板１５の交換が自在に行えるようになっているのである。
【００４４】
また、各脚板１５は、その取付部１５ａを位置調整ネジ１３または位置調整パイプ１４の何れか少なくとも一方（後述する実施形態では両方）の外端に挿入すること（図７の（ａ）参照）で組み付けがなされることは当然として、例えば、図７の（ｂ）に示すように取付ピン１５ｂによって簡単に取り付けることができるものである。
【００４５】
従って、この請求項７に係るパイプ吊下装置１００は、上記請求項６のそれと同様な機能を発揮することができる他、脚板１５の組付を簡単に行えるだけでなく、その交換も簡単に行えるのである。
【発明の効果】
【００４６】
以上、説明した通り、本発明は、
「溝内に設置された土留めパネルまたは矢板間に配置される横軸部１０と、当該横軸部１０に支持されて、前記溝内に敷設すべきパイプを吊下する縦軸部２０と、この縦軸部２０の下端に設けたパイプ取付部３０と、を備えたパイプ吊下装置１００において、
横軸部１０を構成しているベースパイプ１１が挿通される横挿通部４１と、この横挿通部４１に直交して、縦軸部２０を上下位置調整可能に支持する縦挿通部４２と、ベースパイプ１１と平行に支持される横ネジ１２が挿通される横ネジ挿通部４３とを一体化したガイドフレーム４０によって、横軸部１０と縦軸部２０との連結を行うようにしたこと」
または、
「溝内に設置された土留めパネルまたは矢板間に配置される横軸部１０と、当該横軸部１０に支持されて、前記溝内に敷設すべきパイプを吊下する縦軸部２０と、この縦軸部２０の下端に設けたパイプ取付部３０と、を備えたパイプ吊下装置１００において、
横軸部１０を構成しているベースパイプ１１が挿通される挿通部５１と、
ベースパイプ１１と平行に配置される横ネジ１２の両端部を固定するネジ固定部５２とを一体化した左右一対のブラケット５０によって、ベースパイプ１１と横ネジ１２との連結を行うようにしたこと」
にその構成上の主たる特徴があり、これにより、簡単に製造することができて、部品交換も容易に行え、しかも軽量化を図ることのできるパイプ吊下装置１００を提供することができるのである。
【図面の簡単な説明】
【００４７】
【図１】本発明に係るパイプ吊下装置１００の、土留めパネルまたは矢板間に設置した状態の正面図である。
【図２】同パイプ吊下装置１００を構成しているガイドフレーム４０を示すもので、（ａ）は平面図、（ｂ）は正面図である。
【図３】同ガイドフレーム４０の右側面図である。
【図４】同パイプ吊下装置１００を構成しているブラケット５０であって、図１の左側に位置するものを示すもので、（ａ）は平面図、（ｂ）は正面図である。
【図５】同ブラケット５０の右側側面図である。
【図６】同パイプ吊下装置１００の横軸部１０を構成している位置調整ネジ１３を示すもので、（ａ）は正面図、（ｂ）は左側面図、（ｃ）は平面図である。
【図７】同横軸部１０を構成している位置調整パイプ１４を示すもので、（ａ）は脚板１５を取り付けようとしている正面図、（ｂ）は右側面図、（ｃ）は脚板１５を取り付けたときの平面図である。
【図８】非特許文献１に示された従来技術を示す斜視図である。
【発明を実施するための形態】
【００４８】
次に、上記のように構成した各請求項に係る発明を、図面に示した実施の形態に基づいて説明するが、この実施形態に係るパイプ吊下装置１００は、上記各請求項に係る発明の全てを含むものであるから、以下では、この実施形態に係るパイプ吊下装置１００を中心に説明していることとする。
【００４９】
図１には、本発明に係るパイプ吊下装置１００を、土留めパネルまたは矢板間に設置した状態での正面図で示してある。このパイプ吊下装置１００は、溝内に設置された土留めパネルまたは矢板間に配置される横軸部１０と、当該横軸部１０に支持されて、前記溝内に敷設すべきパイプを吊下する縦軸部２０と、この縦軸部２０の下端に設けたパイプ取付部３０と、横軸部１０と縦軸部２０との連結を行うガイドフレーム４０と、ベースパイプ１１と横ネジ１２との連結を行う左右一対のブラケット５０とを備えたものである。
【００５０】
このパイプ吊下装置１００の横軸部１０は、上部に位置するベースパイプ１１と、このベースパイプ１１と平行に配置されてベースパイプ１１の下側に位置する横ネジ１２とを、その基本構成部材としているものである。ベースパイプ１１は、その内部に、図６に示した位置調整ネジ１３と、図７に示した位置調整パイプ１４とを内部に収納でき、かつこれらの位置調整ネジ１３及び位置調整パイプ１４を引き出した後にその位置での固定が行えるようにしたものであり、その表面には硬質化処理が施してある。
【００５１】
また、このベースパイプ１１は、後述するガイドフレーム４０で縦軸部２０を支持しながら、図１に示した左右方向への位置調整が行えるようにするものであるから、この位置調整ができる程度の長さを有していれば十分である。一方、横ネジ１２は、後述するブラケット５０によってその左右両端部を上記ベースパイプ１１に取り付けるようにしたものであり、後述するガイドフレーム４０を挟んで取り付けた左右の固定ハンドル６０を螺進あるいは螺退させることにより、ガイドフレーム４０の位置調整が行えるようにしたものであり、上記ベースパイプ１１の長さ程度の長さを有するものである。
【００５２】
なお、本実施形態での横ネジ１２の直径及びネジのピッチは、後述する位置調整ネジ１３や縦軸部２０のそれと同じにしてあり、これにより、使用される固定ハンドル６０を共通のものにできるようにしてある。固定ハンドル６０は、突出したものであり、比較的強い力で回動操作がなされることもあるから、破損し易いものであるため、各部分で共通して使用できるものにしておくと交換が極めて円滑に行え、頻繁に使用される当該パイプ吊下装置１００のメンテナンス作業効率を格段に高めることができるのである。
【００５３】
このパイプ吊下装置１００の横軸部１０を構成しているベースパイプ１１は、上述したように、その一端部内に位置調整ネジ１３を抜き差し自在に組み付けるとともに、この位置調整ネジ１３の内端が挿入され得る位置調整パイプ１４をベースパイプ１１の他端部内に抜き差し自在に組み付けるようにしたものである。
【００５４】
つまり、位置調整ネジ１３はパイプ状にしてあって、その中に位置調整パイプ１４が抜き差し自在に挿入できるのであり、この位置調整ネジ１３自体はベースパイプ１１内に抜き差し自在に挿入できるのである。これにより、当該ベースパイプ１１は、その中に位置調整ネジ１３と位置調整パイプ１４とをコンパクトに収納することができて、その全体を短くすることができるだけでなく、位置調整ネジ１３と位置調整パイプ１４とを最大限抜き出せば、図１に示したように、土留めパネルまたは矢板間の距離に合わせることができるのである。この結果、横ネジ１２についても、その長さをベースパイプ１１の長さ程度にすることができて、当該パイプ吊下装置１００の図１に示した左右方向の長さを短くすることができているのである。
【００５５】
また、上記の位置調整ネジ１３と位置調整パイプ１４との何れか一方、本実施形態のパイプ吊下装置１００では両方の外端に、前記土留めパネルまたは矢板の内面に当接される脚板１５が取り付けてある。この脚板１５は、例えば図７の（ａ）に示したように、パイプ状になっている位置調整ネジ１３と位置調整パイプ１４との外端に挿入するための取付部１５ａを有したものであり、この取付部１５ａには、取付ピン１５ｂが挿入できる挿通穴１５ｃが形成してある。
【００５６】
つまり、各脚板１５は、その取付部１５ａを位置調整ネジ１３と位置調整パイプ１４との外端に挿入すること（図７の（ａ）参照）で簡単に組み付けがなされることは当然として、例えば、図７の（ｂ）に示したように、挿通穴１５ｃに挿通した取付ピン１５ｂによって簡単に取り付けることができる。
【００５７】
さらに、位置調整ネジ１３には、図６にも示したように、固定ハンドル６０が螺着してあって、この固定ハンドル６０の図示左側面がベースパイプ１１の右端面に、後述する受け材６１を介して当接するようにしてあるから、この固定ハンドル６０を例えば右回転させることによって、当該位置調整ネジ１３は、ベースパイプ１１から強制的かつ微調整可能に抜き出せるものとなっているのである。一方、位置調整パイプ１４については、その抜き出しが完了した時点で、ベースパイプ１１に形成してあるピン穴（図示せず）と、位置調整パイプ１４に形成してあるピン穴１４ａとの間に図示しないピンを差し込んで、ベースパイプ１１に対する固定が行えるようにしてある。
【００５８】
そして、このパイプ吊下装置１００では、図１及び図６に示したように、ベースパイプ１１と、位置調整ネジ１３上の固定ハンドル６０との間に、受け材６１が配置してある。この受け材６１としては、所謂オイルレスベアリング、スラストベアリング、その他のハンドル６０の回転を円滑にする部材が採用される。
【００５９】
このような受け材６１を固定ハンドル６０とベースパイプ１１との間に配置しておけば、固定ハンドル６０を回動する際には、当該受け材６１がない場合に比べて小さい摩擦力しか存在しないようにすることができる。つまり、受け材６１の存在によって、横軸部１０を突っ張らせるための固定ハンドル６０の回動が比較的小さな力で行えるのであり、当該パイプ吊下装置１００の施工作業性を向上させている。
【００６０】
当該横軸部１０には、図１に示したように、後述するガイドフレーム４０によって縦軸部２０が連結されるのであり、この縦軸部２０の下端には、パイプを吊下するための一般的なパイプ取付部３０が設けられるのである。縦軸部２０は、図１にも示したように、「ネジ軸」として形成したものであり、これに螺着した固定ハンドル６０の下面を、ガイドフレーム４０の縦挿通部４２の上端に当接させることにより、当該パイプ吊下装置１００における所定位置での固定がなされる。一方、当該縦軸部２０の上下方向の位置決めを行うには、パイプ取付部３０にてのパイプの吊下をする前に、固定ハンドル６０を当該縦軸部２０に対して螺進させたり螺退させたりするのである。
【００６１】
ガイドフレーム４０は、図１〜図３に示したように、ベースパイプ１１が挿通される横挿通部４１と、この横挿通部４１に直交する縦挿通部４２と、横ネジ１２が挿通される横ネジ挿通部４３と、これらの横挿通部４１、縦挿通部４２、及び横ネジ挿通部４３の一体化を行う連結部４４とを備えたものであり、これらの横挿通部４１、縦挿通部４２、横ネジ挿通部４３、及び連結部４４は、例えばアルミダイキャストによって一体的に形成したものである。換言すれば、当該ガイドフレーム４０の連結部４４によって、横挿通部４１と横ネジ挿通部４３とは互いに平行に連結され、縦挿通部４２は横挿通部４１及び横ネジ挿通部４３に対して直交状態となるように連結されているのであり、これらの関係は連結部４４によって不変となる。このようなガイドフレーム４０の横挿通部４１に横軸部１０のベースパイプ１１を、また横ネジ挿通部４３に横ネジ１２を挿通して縦挿通部４２に縦軸部２０を取り付ければ、当該パイプ吊下装置１００の製造あるいは組み付けは簡単に行える。
【００６２】
この実施形態のパイプ吊下装置１００では、上述してきたガイドフレーム４０を、比重が１．７〜４．０の金属または金属合金によって形成してあり、これにより、パイプ吊下装置１００として必要十分な剛性を確保した状態で、例えばこの種のパイプ吊下装置１００を一般的に形成している「鉄」に対して、軽量化を図っているのである。
【００６３】
このガイドフレーム４０は、横軸部１０を構成しているベースパイプ１１及び横ネジ１２に対して、横挿通部４１及び横ネジ挿通部４３にて横方向にスライド可能となっている。なお、例えば、横ネジ挿通部４３の両側に位置する横ネジ１２上には、前述したように、固定ハンドル６０がそれぞれ取り付けてある。
【００６４】
ここで、当該ガイドフレーム４０の、図１の左右方向への位置調整を行いたい場合には、パイプ取付部３０にパイプを取り付ける前の状態で、移動させたい側の固定ハンドル６０を緩めて横ネジ挿通部４３の許容移動部分を確保した後、反対側の固定ハンドル６０を締めることにより、移動したい方向への固定ハンドル６０の横ネジ１２上での螺進を行う。このとき、ガイドフレーム４０の横挿通部４１は、横軸部１０側のベースパイプ１１に単に挿通してあるだけであるから、当該ガイドフレーム４０の移動は、ベースパイプ１１と横ネジ１２との平行状態を維持したままなされることになる。ガイドフレーム４０の上述したのとは反対方向への移動時も同様である。
【００６５】
このようにしてガイドフレーム４０が所望方向に移動すれば、このガイドフレーム４０に一体的に形成してある縦挿通部４２も、左右方向へ同量移動することになる。そして、この縦挿通部４２の下端にはパイプ取付部３０によってパイプを取り付ければ、このパイプの図１に示した左右方向への位置調整がなされることになるのである。なお、パイプの上下方向の位置調整は、縦軸部２０に設けてある固定ハンドル６０の回動操作によって行うことができることは、前述した通りである。
【００６６】
そして、ブラケット５０は、図４及び図５に示したように、横軸部１０を構成しているベースパイプ１１が挿通される挿通部５１と、ベースパイプ１１と平行に配置される横ネジ１２の両端部を固定するネジ固定部５２とを一体化したものであり、ベースパイプ１１と横ネジ１２との連結を行うものである。
【００６７】
すなわち、この実施形態のパイプ吊下装置１００は、ベースパイプ１１と横ネジ１２との連結を、図４及び図５に示したようなブラケット５０を左右一対使用して行うようにしたものである。これら各ブラケット５０の、まず、横軸部１０のベースパイプ１１に対する取付及び固定は、その上端部である挿通部５１をベースパイプ１１の両端部に挿通するとともに、図１及び図５に示した固定ネジ５３ａを固定部５３に螺着することによってなされる。
【００６８】
これらブラケット５０の、ベースパイプ１１の両端部に対する取付時には、各ブラケット５０の下部に形成してあるネジ固定部５２内に、横軸部１０側の横ネジ１２の両端部を挿入または固定しておくものであり、各ブラケット５０のベースパイプ１１に対する固定が完了すれば、横ネジ１２のベースパイプ１１に対する平行な取り付けが自動的に完了するものである。
【００６９】
以上の操作を逆に行えば、当該ブラケット５０は勿論、ベースパイプ１１や横ネジ１２の交換も簡単に行えることになるのである。また、これらのブラケット５０は、例えばアルミダイキャストによって一体的に形成したものであり、ネジ固定部５２の中心でみたとき左右対称になっているし、一つの型で左右のブラケット５０を製造できるのであるから、結果的に当該パイプ吊下装置１００の製造を容易にしている。
【００７０】
この実施形態のパイプ吊下装置１００では、上述してきたブラケット５０を、比重が１．７〜４．０の金属または金属合金によって形成したものであり、これにより、パイプ吊下装置１００として必要十分な剛性を確保した状態で、例えばこの種のパイプ吊下装置１００を一般的に形成している「鉄」に対して、軽量化を図るようにしている。
【００７１】
なお、このブラケット５０をアルミダイキャストによって一体的に形成するにあたって、所謂「中実体」として形成するよりも、図４及び図５に示したように、空間部５４を有するものとした方が、当該ブラケット５０自体の軽量化を図り、結果的に、パイプ吊下装置１００全体の軽量化を図ることができる。
【符号の説明】
【００７２】
１００    パイプ吊下装置
１０    横軸部
１１    ベースパイプ
１２    横ネジ
１３    位置調整ネジ
１４    位置調整パイプ
１４ａ  ピン穴
１４ｂ  挿入穴
１５    脚板
１５ａ  取付部
１５ｂ  取付ピン
１５ｃ  挿通穴
２０    縦軸部
３０    パイプ取付部
４０    ガイドフレーム
４１    横挿通部
４２    縦挿通部
４３    横ネジ挿通部
４４    連結部
４５ａ  固定ネジ穴
５０    ブラケット
５１    挿通部
５２    ネジ固定部
５２ａ  取付穴
５３    固定部
５３ａ  固定ネジ
５４    空間部
６０    固定ハンドル
６１    受け材
【図１】
2011080558.tif 000003
【図２】
2011080558.tif 000004
【図３】
2011080558.tif 000005
【図４】
2011080558.tif 000006
【図５】
2011080558.tif 000007
【図６】
2011080558.tif 000008
【図７】
2011080558.tif 000009
【図８】
2011080558.tif 000010
【手続補正書】
【提出日】平成21年11月13日(2009.11.13)
【手続補正１】
【補正対象書類名】特許請求の範囲
【補正対象項目名】全文
【補正方法】変更
【補正の内容】
【特許請求の範囲】
【請求項１】
溝内に設置された土留めパネルまたは矢板間に配置される横軸部（１０）と、当該横軸部（１０）に支持されて、前記溝内に敷設すべきパイプを吊下する縦軸部（２０）と、この縦軸部（２０）の下端に設けたパイプ取付部（３０）と、を備えたパイプ吊下装置（１００）において、
前記横軸部（１０）を構成しているベースパイプ（１１）が挿通される横挿通部（４１）と、この横挿通部（４１）に直交して、前記縦軸部（２０）を上下位置調整可能に支持する縦挿通部（４２）と、前記ベースパイプ（１１）と平行に支持される横ネジ（１２）が挿通される横ネジ挿通部（４３）とを一体化したガイドフレーム（４０）によって、前記横軸部（１０）と縦軸部（２０）との連結を行うようにしたことを特徴とするパイプ吊下装置（１００）。
【請求項２】
前記ガイドフレーム（４０）を、比重が１．７〜４．０の金属または金属合金によって形成したことを特徴とする請求項１に記載のパイプ吊下装置（１００）。
【請求項３】
溝内に設置された土留めパネルまたは矢板間に配置される横軸部（１０）と、当該横軸部（１０）に支持されて、前記溝内に敷設すべきパイプを吊下する縦軸部（２０）と、この縦軸部（２０）の下端に設けたパイプ取付部（３０）と、を備えたパイプ吊下装置（１００）において、
前記横軸部（１０）を構成しているベースパイプ（１１）が挿通される挿通部（５１）と、
前記ベースパイプ（１１）と平行に配置される横ネジ（１２）の両端部を固定するネジ固定部（５２）とを一体化した左右一対のブラケット（５０）によって、前記ベースパイプ（１１）と前記横ネジ（１２）との連結を行うようにしたことを特徴とするパイプ吊下装置（１００）。
【請求項４】
前記ブラケット（５０）を、比重が１．７〜４．０の金属または金属合金によって形成したことを特徴とする請求項３に記載のパイプ吊下装置（１００）。
【請求項５】
前記ベースパイプ（１１）の表面に硬質化処理を施したことを特徴とする請求項１〜請求項４のいずれかに記載のパイプ吊下装置（１００）。
【請求項６】
前記横軸部（１０）のベースパイプ（１１）の一端部内に位置調整ネジ（１３）を
抜き差し自在に組み付けるとともに、この位置調整ネジ（１３）の内端が挿入され得る位置調整パイプ（１４）を前記ベースパイプ（１１）の他端部内に抜き差し自在に組み付けて、
前記ベースパイプ（１１）と、前記位置調整ネジ（１３）上の固定ハンドル（６０）との間に、受け材（６１）を配置するようにしたことを特徴とする請求項１〜請求項５のいずれかに記載のパイプ吊下装置（１００）。
【請求項７】
前記横軸部（１０）の少なくとも一方の外端に、前記土留めパネルまたは矢板の内面に当接される脚板（１５）の取付部（１５ａ）を挿入して、これらの取付部（１５ａ）を前記横軸部（１０）の外端にて着脱自在としたことを特徴とする請求項１〜請求項６のいずれかに記載のパイプ吊下装置（１００）。
【手続補正２】
【補正対象書類名】明細書
【補正対象項目名】００４２
【補正方法】変更
【補正の内容】
【００４２】
上記課題を解決するために、請求項７に係る発明の採った手段は、上記請求項６に記載のパイプ吊下装置１００について、
「横軸部１０の少なくとも一方の外端に、前記土留めパネルまたは矢板の内面に当接される脚板１５の取付部１５ａを挿入して、これらの取付部１５ａを横軸部１０の外端にて着脱自在としたこと」
である。
【手続補正３】
【補正対象書類名】明細書
【補正対象項目名】００４３
【補正方法】変更
【補正の内容】
【００４３】
この請求項７のパイプ吊下装置１００では、横軸部１０の外端、すなわち、位置調整ネジ１３または位置調整パイプ１４の外端の何れか少なくとも一方に、脚板１５を、その取付部１５ａにて着脱自在に取り付けたものであるから、各脚板１５の交換が自在に行えるようになっているのである。
【手続補正４】
【補正対象書類名】明細書
【補正対象項目名】００４４
【補正方法】変更
【補正の内容】
【００４４】
また、各脚板１５は、その取付部１５ａを横軸部１０（位置調整ネジ１３または位置調整パイプ１４）の何れか少なくとも一方（後述する実施形態では両方）の外端に挿入すること（図７の（ａ）参照）で組み付けがなされることは当然として、例えば、図７の（ｂ）に示すように取付ピン１５ｂによって簡単に取り付けることができるものである。
【手続補正５】
【補正対象書類名】明細書
【補正対象項目名】００４５
【補正方法】変更
【補正の内容】
【００４５】
従って、この請求項７に係るパイプ吊下装置１００は、上記請求項１〜６のそれと同様な機能を発揮することができる他、脚板１５の組付を簡単に行えるだけでなく、その交換も簡単に行えるのである。